(57)【要約】【課題】ゲストハウスウェディング方式において、挙式参加者（顧客）が貸し切りによる満足感を得ることのできる結婚式場を提供する。【解決手段】本発明の結婚式場は、エントランスロビー１０、受付２０、新婦仕度室３１、新婦側待合室３２、新郎側待合室３３、来賓待合室３４、挙式会場４０、ファミリーガゼポ５０、写真室６０、コンサバトリー７０ａ、パティオ７０ｂ、オランジェリー７０ｃ、披露宴会場Ａ〜Ｃ（８０ａ〜８０ｃ）、厨房室９１、スタッフ室９２、が同一敷地内に設置されている。挙式参加者（顧客）は、エントランスロビー１０から写真室６０までの共有施設を時間差で利用することで他の挙式組と重なることがなく、各披露宴会場への移動から結婚式場の退場までの顧客動線が互いに重ならず、他の挙式組と接触することがない。従って、挙式参加者は、貸し切りによる贅沢で優雅な満足感を得ることができる。【選択図】　　　　図１
2004060344.tif 000002
【特許請求の範囲】
【請求項１】
挙式会場と複数の披露宴会場とが同一敷地内に設けられた結婚式場であって、
前記挙式会場から前記複数の披露宴会場までの挙式参加者（顧客）の移動状況を示す夫々の顧客動線が互いに重合しないように該複数の披露宴会場が配置されることを特徴とする結婚式場。
【請求項２】
前記複数の披露宴会場から前記結婚式場を退場するまでの挙式参加者（顧客）の移動状況を示す夫々の顧客動線が互いに重合しないように該複数の披露宴会場が配置されることを特徴とする請求項１記載の結婚式場。
【請求項３】
前記複数の披露宴会場の夫々は、
内装が異なるように構築されることを特徴とする請求項１又は２記載の結婚式場。
【請求項４】
前記複数の披露宴会場の夫々は、
収容人数が異なるように構築されることを特徴とする請求項１から３のいずれか１項に記載の結婚式場。
【請求項５】
前記複数の披露宴会場の夫々は、
ウェルカムパーティー会場となるスペースを有することを特徴とする請求項１から４のいずれか１項に記載の結婚式場。
【請求項６】
前記結婚式場は、
多層階から構築されることを特徴とする請求項１から５のいずれか１項に記載の結婚式場。
【請求項７】
前記複数の披露宴会場の夫々は、
異なる階層に配置されることを特徴とする請求項６記載の結婚式場。
【請求項８】
前記挙式会場は、
最上層に構築されることを特徴とする請求項５又は６記載の結婚式場。
【請求項９】
前記複数の披露宴会場の夫々は、
前記結婚式場のメインゲートと異なるサブゲートを有することを特徴とする請求項１から８のいずれか１項に記載の結婚式場。
【請求項１０】
前記複数の披露宴会場の夫々は、
少なくとも、前室、テラス、外庭の何れか又はこれらの組み合わせが併設されることを特徴とする請求項１から９のいずれか１項に記載の結婚式場。
【請求項１１】
前記複数の披露宴会場に併設される前記前室、テラス、外庭の何れか又はこれらの組み合わせにより専有される面積は、該複数の披露宴会場の夫々の底面積に対し、少なくとも５０％以上であることを特徴とする請求項１０記載の結婚式場。
【請求項１２】
前記複数の披露宴会場の夫々により共有される厨房室が少なくとも１つ配置されることを特徴とする請求項１から１１のいずれか１項に記載の結婚式場。
【請求項１３】
前記挙式会場から前記複数の披露宴会場までの挙式参加者の移動状況を示す顧客動線中途上に、フラワーシャワー又はライスシャワーによる祝福を行うための踊り場及び／又は階段を設けることを特徴とする請求項１から１２のいずれか１項に記載の結婚式場。
【請求項１４】
前記挙式参加者の写真撮影を行う写真室が前記挙式会場から前記複数の披露宴会場までの挙式参加者の移動状況を示す顧客動線中途上に配置されることを特徴とする請求項１から１３のいずれか１項に記載の結婚式場。
【発明の詳細な説明】
【０００１】
【発明の属する技術分野】
本発明は、結婚式場に関し、特に新郎新婦を含む挙式参加者（顧客）が貸し切りによる満足感を充足することの可能な結婚式場に関する。
【０００２】
【従来の技術】
従来、結婚式といえば、ホテルや結婚式場で行われるのが一般的であった。従来の挙式は、オペレーション上の高回転や高合理化を目的とした会場設計となるため、ホテルや結婚式場側の経営的な都合を最優先するものであった。
【０００３】
例えば、図３は、従来の結婚式場における顧客の移動状況を示す図である。図３に示すように、従来の結婚式場は、エントランスホール、親族控室、挙式会場、写真室、披露宴会場などの各施設が同一建物内に設置される構造となっている。これらの各施設は、複数階に亘って設置されていることもある。
【０００４】
図３において、まず、挙式参加者は、入り口（１）から入場し、エントランスホール内に設けられた受付で手続きを済ませ（２）、夫々の控室へと移動する（３〜５）。挙式参加者は、結婚式場の職員の案内により挙式会場へ案内され（６）、挙式が終了すると新郎新婦及び両家親族は挙式会場を退場して写真室へ入場し（７）、その他の挙式参加者はロビーへと案内される（７’、８’、９）。新郎新婦及び両家親族は、写真室で写真撮影終了後、一般的には、披露宴開始まで待機するため、新郎親族控室及び新婦親族控室へ向かう（１０、１１、１２）。披露宴開始時刻になると、新郎新婦及び両親（仲人がいる場合もある）は、親族控室を退席し（１２）、ご招待したお客様をお迎え（迎賓）した後、披露宴会場Ａへ入室し（１３）、披露宴が終了すると、ご招待したお客様を見送る（送賓）ため、当該披露宴会場Ａを退室し（１４）、出口へと移動する（１５、１６）。その後、全員が退場する。この披露宴会場の出入口近傍には、新郎新婦・ご両親らが招待客の送迎賓するための金屏風（波線部）が設けられている。挙式参加者（二組目、三組目・・・）は、夫々ある程度の時間差をおいて、一組目の挙式参加者と同様の流れで挙式から披露宴まで参加する。従来の結婚式場における挙式参加者の移動状況は、以上のようなものが主流であった。
【０００５】
これに対し、最近では、邸宅風の建物で挙式や披露宴を開く「ゲストハウスウェディング」という欧米式の挙式が流行し始めている。この「ゲストハウスウェディング」とは、庭付きの建物を利用し、この建物を自宅に見立てて挙式（披露宴）参加者を招待する感覚で行われる挙式である。
【０００６】
このような挙式（披露宴）が行われるようになった背景としては、従来の仲人や結納といった慣習（形式）を重視しない若い世代により、形式に捕らわれず、会社上司らに結婚相手を披露するといったニーズが減少しているところによるものと想像される。
【０００７】
【発明が解決しようとする課題】
しかしながら、従来のようにホテルや結婚式場を借りて挙式（披露宴）を行う場合、他の挙式と重なることが往々にしてある。例えば、図３に示すエントランスホール内では、様々な方向への顧客動線が示されており、同じ時間帯に複数組の入退場がある場合には、これらの顧客動線が互いに重なり合い混雑するため、他の挙式（披露宴）参加者とすれ違うことが多々あり、貸し切り感を充足するには至らないものであった。
これらは、エントランスホールに限らず、挙式会場の出入口、親族控室の出入口、披露宴会場の出入口、エレベーター、通路、化粧室、などでも同様である。
【０００８】
また、従来は、年間数百件という挙式が行われるため、結婚式会場側によって予め定められた段取りで挙式並びに披露宴が進められていくものが大半である。
従って、新郎新婦の希望通りに行かないことも多々あり、ゲストハウスウェディングの最大の特徴である「２人（新郎新婦）らしさの演出」並びに「２人（新郎新婦）による挙式参加者へのもてなし」という点において満足のいくものではなかった。
【０００９】
本発明は、昨今のニーズに併せたゲストハウスウェディング方式において、挙式参加者（顧客）が貸し切りによる満足感を得ることの可能な結婚式場を提供することを目的とする。
【００１０】
また、本発明は、挙式主催者側となる新郎新婦の希望を最大限に叶えられる結婚式場を提供することを目的とする。
【００１１】
【課題を解決するための手段】
上記課題を解決するために、本発明は、挙式会場と複数の披露宴会場とが同一敷地内に設けられた結婚式場であって、前記挙式会場から前記複数の披露宴会場までの挙式参加者（顧客）の移動状況を示す夫々の顧客動線が互いに重合しないように該複数の披露宴会場が配置されることを特徴とする。
【００１２】
また、前記複数の披露宴会場から前記結婚式場を退場するまでの挙式参加者（顧客）の移動状況を示す夫々の顧客動線が互いに重合しないように該複数の披露宴会場が配置されるとよい。
【００１３】
また、前記複数の披露宴会場の夫々は、内装が異なるように構築されるとよい。
【００１４】
また、前記複数の披露宴会場の夫々は、収容人数が異なるように構築されるとよい。
【００１５】
また、前記複数の披露宴会場の夫々は、ウェルカムパーティー会場となるスペースを有するとよい。
【００１６】
前記結婚式場は、多層階から構築されるとよい。
【００１７】
また、前記複数の披露宴会場の夫々は、異なる階層に配置されるとよい。
【００１８】
また、前記挙式会場は、最上層に構築されるとよい。
【００１９】
また、前記複数の披露宴会場の夫々は、前記結婚式場のメインゲートと異なるサブゲートを有するとよい。
【００２０】
また、前記複数の披露宴会場の夫々は、少なくとも、前室、テラス、外庭の何れか又はこれらの組み合わせが併設されるとよい。
【００２１】
また、前記複数の披露宴会場に併設される前記前室、テラス、外庭の何れか又はこれらの組み合わせにより専有される面積は、該複数の披露宴会場の夫々の底面積に対し、少なくとも５０％以上であることが好ましい。
【００２２】
また、前記複数の披露宴会場の夫々により共有される厨房室が少なくとも１つ配置されるとよい。
【００２３】
また、前記挙式会場から前記複数の披露宴会場までの挙式参加者の移動状況を示す顧客動線中途上に、フラワーシャワー又はライスシャワーによる祝福を行うための踊り場及び／又は階段を設けるとよい。
【００２４】
さらに、前記挙式参加者の写真撮影を行う写真室が前記挙式会場から前記複数の披露宴会場までの挙式参加者の移動状況を示す顧客動線中途上に配置されるとよい。
【００２５】
【発明の実施の形態】
以下、添付図面を参照しながら、本発明の実施形態である結婚式場を詳細に説明する。図１及び図２に、本発明に係る結婚式場の実施の形態を示す。
【００２６】
図１は、本発明の実施形態である結婚式場の概略構成を示す図であり、挙式参加者（顧客）の入退場の移動状況を示す顧客動線が示されている。図１において、本発明の実施形態である結婚式場は、エントランスロビー１０と、受付２０と、新婦仕度室３１と、新婦側待合室３２と、新郎側待合室３３と、来賓待合室３４と、挙式会場４０と、ファミリーガゼポ５０と、写真室６０と、コンサバトリー７０ａ、パティオ７０ｂ、オランジェリー７０ｃと、披露宴会場Ａ〜Ｃ（８０ａ〜８０ｃ）と、厨房室９１と、スタッフ室９２と、が同一敷地内に設置されて構成される。
【００２７】
結婚式場の入り口であるメインゲートを抜けてエントランスロビー１０を通過すると、受付２０が設置されている。エントランスホール１０内での混雑を緩和するため、各組ごとに時間差を設けて受付手続きをするなどの措置が執られている。なお、受付２０をエントランスロビー１０内に設置してもよい。また、エントランスロビー１０内には、待ち合わせなどに利用されるカフェテラスなどを配置してもよい。
【００２８】
受付２０で受付手続きを終了した挙式参加者は、新婦仕度室３１、新婦側待合室３２、新郎側待合室３３、来賓待合室３４へと夫々案内される。
【００２９】
新婦仕度室３１、新婦側待合室３２、新郎側待合室３３、来賓待合室３４の夫々で待機している挙式参加者は、挙式開始時刻に結婚式場の職員の案内により挙式会場４０へと誘導される。また、挙式開始前には、親族紹介などが行われる。
【００３０】
特に、従来、式場内に設けられた共用の美容室にて準備をしていたが、本発明では、新婦仕度室３１を設けることにより、新婦はあたかも自らの個室で準備するといった安心感を得ることができ、より満足感を得ることができる。
【００３１】
なお、新婦仕度室３１、新婦側待合室３２、新郎側待合室３３、来賓待合室３４を１組として、これらを複数組み設ける構成としてもよい。
【００３２】
挙式会場４０は、実際に挙式が行われる会場であり、神前式の場合には神殿を設置し、教会式の場合には教会（チャペル）を設置する。なお、図１には、挙式会場を１つ設置する構成を示しているが、顧客のニーズに合わせて神前式、教会式及び人前式（この場合、十字架を取り外す）の選択が可能なように神殿、チャペルの両方を設置する構成としてもよい。
【００３３】
また、挙式会場４０は、ヨーロッパの大聖堂などで見受けられるように、牧師の声が天井のドームに反響し、空から声が降ってくるようなイメージを再現するため、ドーム形状、スピーカーの配置やパイプオルガンの配置などに工夫が施されている。
【００３４】
さらに、挙式会場４０を退場後、ファミリーガゼポ５０又は写真室６０へ移動する顧客動線上に、フラワーシャワー又はライスシャワーなどにより挙式参加者一同で新郎新婦を祝福可能な踊り場や階段などを設けることにより、より一層、結婚式の雰囲気を演出することが可能となる。
【００３５】
ファミリーガゼポ５０は、挙式直後の新郎新婦と親族（近親者）だけでお祝いができ、写真などを撮影することの可能なスペースである。
【００３６】
写真室６０は、挙式後の新郎新婦並びに親族、その他挙式参加者の写真を撮影するための施設であり、従来の写真スタジオと異なり、洋風のリビング風に仕立て上げている。なお、洋風のリビング風以外にも顧客のニーズに併せて随時セッティングを変更可能なようにするとよい。
また、写真撮影は、この写真室６０内に限られるものでなく、天候にも左右されるが本結婚式場内に複数の撮影用スポット（フォーカルポイント）を設置しておき、気に入った場所を選択して写真撮影を行うようにしてもよい。
【００３７】
コンサバトリー７０ａ、パティオ７０ｂ、オランジェリー７０ｃは、夫々の披露宴会場Ａ〜Ｃ（８０ａ〜８０ｃ）で披露宴が始まる前のウェルカムパーティーを行うスペースである。挙式参加者は、シャンパンやワインなどを飲みながら新郎新婦を囲んで気軽に談笑して披露宴開始までの時間を楽しむことができる。
なお、本実施形態におけるコンサバトリー７０ａ、パティオ７０ｂ、オランジェリー７０ｃは、披露宴会場Ａ〜Ｃの内装に応じて、イギリス風ならコンサバトリー、イタリア風ならばパティオ、フランス風ならばオランジェリー、ニューヨーク風ならばサロン、というように呼称が変わる。
【００３８】
複数の披露宴会場Ａ〜Ｃ（８０ａ〜８０ｃ）の夫々は、各顧客のニーズに併せて料理などを提供可能なメインダイニング（宴会場）であり、互いに異なる空間を演出するように夫々内装が異なっている。
これらの披露宴会場Ａ〜Ｃ（８０ａ〜８０ｃ）は、ゆったりとした優雅な雰囲気をかもし出すパーティーを演出するため、各会場への出入り口には、結婚式場へのメインゲートとは異なるサブゲートを配置し、敷地内の地形を利用して挙式参加者が貸し切り感を充足できるような空間を構築する。なお、天候にもよるが、披露宴会場をオープンテラスとすることも可能である。
【００３９】
スタッフ室９１は、結婚式場の職員（主に各披露宴会場Ａ〜Ｃのサービス管理を行う）が待機するスペースである。
【００４０】
厨房室９２は、各披露宴会場Ａ〜Ｃで提供する食事や飲み物、デザートを調理するスペースであり、顧客の希望通りのメニューを提供する。ここでの厨房室９２とは、パントリー（配膳室やウォークイン冷蔵庫など）も含むものである。なお、この厨房室９２は、図１に示すように各披露宴会場Ａ〜Ｃと隣接配置されているが、連絡路にて行き来できるような構成であれば必ずしも隣接させる必要はない。
【００４１】
また、これらの披露宴会場Ａ〜Ｃ（８０ａ〜８０ｃ）は、挙式会場を含む外部（他の披露宴会場も同様）からの視線を遮断するため、挙式参加者に圧迫感を与えない程度で塀や前室、ガーデン、テラスなどを適宜配置するとよい。これらのうち、前室、ガーデン、テラスなどにより専有される面積は、各披露宴会場の底面積と同じ面積で設けられることが好ましいが、少なくとも５０％以上で設けられることにより、挙式参加者への圧迫感を抑制することが可能である。
【００４２】
このように、本発明の実施形態である結婚式場は、同一敷地内に複数の披露宴会場Ａ〜Ｃを保有し、共有施設（エントランスロビー１０、新婦仕度室３１、新婦側待合室３２、新郎側待合室３３、来賓待合室３４、挙式会場４０、ファミリーガゼポ５０、写真室６０）を時間差で利用した後、結婚式場を退場するまで他の挙式組と出会うことがない。
従って、挙式参加者（顧客）は、あたかも結婚式場を貸し切っているかのように、ゆったりと優雅な雰囲気を満喫することができる。
【００４３】
なお、本発明の結婚式場を多層階の構成とし、最上階に挙式会場を設け、各階に披露宴会場を設けるといったことも可能である。この場合、丘陵をイメージさせるような段々構造とすることで、豪華な雰囲気をかもし出すことができる。
このような構成とすることで、挙式会場から各披露宴会場を目視では確認できず、あたかも自分達だけの結婚式並びに披露宴が行われているかのような貸し切り感を演出することができる。
【００４４】
以下、図１に基づいて、本発明の実施形態である結婚式場における挙式参加者（顧客）の移動状況を実施例に基づいて詳細に説明する。本実施例では、三組の挙式（ａ組、ｂ組、ｃ組）を想定して以下に説明する。
【００４５】
まず、結婚式場に入場したａ組の挙式参加者（１）は、エントランスロビー１を通過し（２）、受付２０で入場手続きを済ませた後、結婚式場の職員の指示に基づいて新婦仕度室３１、新婦側待合室３２、新郎側待合室３３、来賓待合室３４へ案内され（３）、挙式開始時刻まで待機する。
【００４６】
次に、結婚式場へ入場したｂ組、ｃ組の挙式参加者（１）も同様に、エントランスロビー１０を通過し（２）、受付２０で入場手続きを済ませた後、結婚式場の職員の指示に基づいて新婦仕度室３１、新婦側待合室３２、新郎側待合室３３、来賓待合室３４へ夫々案内され（３）、挙式開始時刻まで待機する。なお、ａ〜ｃ組は、入場の際に予め時間差が設けられているものである。
【００４７】
ａ組の挙式参加者は、挙式開始時刻になると、結婚式場の案内係からの指示に基づいて挙式会場４０へ移動し、挙式が開始される。挙式終了後、ａ組の挙式参加者は、ファミリーガゼポ５０又は写真室６０へ移動する（４、４’）。ファミリーガゼポ５０で新郎新婦及び親族で祝福した後、その他挙式参加者と共に写真撮影を行い（雨の場合は写真室６０へ移動して撮影（５））、披露宴会場Ａへのゲートをくぐり、コンサバトリー７０ａへと移動する（６）。コンサバトリー７０ａで談笑した後、ａ組の挙式参加者は、披露宴会場Ａ（８０ａ）へと移動する（７）。
【００４８】
ｂ組の挙式参加者も、挙式開始時刻になると、結婚式場の職員の指示に基づいて挙式会場４０へ移動し、挙式が開始される。挙式終了後、ｂ組の挙式参加者は、ファミリーガゼポ５０又は写真室６０へ移動する（４、４’）。ファミリーガゼポ５０で新郎新婦及び親族で祝福した後、その他挙式参加者と共に写真撮影を行い（雨の場合は写真室６０へ移動して撮影（５））、披露宴会場Ｂへのゲートをくぐり、パティオ７０ｂへと移動する（１０）。パティオ７０ｂで談笑した後、ｂ組の挙式参加者は、披露宴会場Ｂ（８０ｂ）へと移動する（１１）。
【００４９】
ｃ組の挙式参加者も、挙式開始時刻になると、結婚式場の職員の指示に基づいて挙式会場４０へ移動し、挙式が開始される。挙式終了後、ｃ組の挙式参加者は、ファミリーガゼポ５０又は写真室６０へ移動する（４、４’）。ファミリーガゼポ５０で新郎新婦及び親族で祝福した後、その他挙式参加者と共に写真撮影を行い（雨の場合は写真室６０へ移動して撮影（５））、披露宴会場Ｃへのゲートをくぐり、オランジェリー７０ｃへと移動する（１４）。オランジェリー７０ｃで談笑した後、ｃ組の挙式参加者は、披露宴会場Ｃ（８０ｃ）へと移動する（１５）。
【００５０】
披露宴を終了した挙式参加者は、夫々のコンサバトリー７０ａ、パティオ７０ｂ、オランジェリー７０ｃを通り抜け、ａ組は９のルートで退場し、ｂ組は１３のルートで退場し、ｃ組は１７のルートで退場するようにする。なお、図１においては、オランジェリー７０ｃへの顧客動線１４とパティオ７０ｂを通り抜けて退場する顧客動線１３とが重なっているが、時間差を設けることで互いにかち合うことはない。
【００５１】
図１から明らかなように、エントランスロビー１０、新婦仕度室３１、新婦側待合室３２、新郎側待合室３３、来賓待合室３４、挙式会場４０、ファミリーガゼポ５０、写真室６０までの共有施設に関しては時間差を設けることにより他の挙式組と重なることがない。また、各披露宴会場への移動から結婚式場の退場までの顧客動線（顧客の移動状況）も互いに重なり合うことがない。よって、他の挙式組と接触することがなくなる。これにより挙式参加者は、貸し切り状態にひたれるため贅沢で優雅な満足感を得ることができる。換言すると、結婚式や披露宴において他の組の挙式参加者とかち合うことがないため、自分達の組のためだけに挙式等が行われているという満足感を得ることができる。
【００５２】
図２は、本発明の実施形態である結婚式場における挙式スケジュールの一例を示すタイムテーブルである。図２には、４つの披露宴会場（８１〜８４）を備える結婚式場において、１日で９組（Ａ組〜Ｉ組）の結婚式を取り扱う場合、結婚式の所要時間を４５分、フラワーシャワー、写真及び披露宴の所要時間を２時間３０分、という設定で取り扱う実施例が示されている。
なお、結婚式や披露宴の時間や内容に関しては、事前に顧客（新郎新婦など）の好みやスタイルに併せて適宜変更して設定することが可能である。
【００５３】
まず、Ａ組の結婚式を１０時に開始した場合、Ｂ組の結婚式を４５分後の１０時４５分から開始する。その後のＣ組〜Ｉ組の結婚式開始時刻は、全て４５〜６０分おきに開始する。なお、実際の挙式開始略１５分前には、簡単な段取り確認のためのリハーサルが行われる。
【００５４】
新郎新婦は、結婚式終了後、挙式会場４０を退場し、踊り場や階段で挙式参加者によりフラワーシャワーやライスシャワーで祝福された後、天気の良い日にはファミリーガゼポ５０で、天気の悪い日には写真室６０で挙式参加者を含めた記念撮影が行われる。
この写真撮影に関しては、上述したように、必ずしも結婚式後である必要はなく、結婚式前の空いている時間を利用して撮影することも可能である。この場合、他の組と重ならない時間帯を利用するように調整するとよい。
【００５５】
挙式参加者は、写真室での記念撮影終了後、披露宴会場８１〜８４へと移動する。図２においては、Ａ組は披露宴会場８１、Ｂ組は披露宴会場８２、Ｃ組は披露宴会場８３、Ｄ組は披露宴会場８４、というように夫々の披露宴会場へ移動する。なお、披露宴の開始は、結婚式の開始時刻と同様に各組ごとに時間差（１時間）が設けられている。
【００５６】
Ａ組の披露宴が１３時３０分に終了すると、結婚式場の職員により約１時間程度で次回のＥ組の披露宴（開始時刻１４時３０分）の準備が行われる。このような作業が各組の披露宴終了後に順次行われる。
【００５７】
図２では、披露宴会場８１を３回利用しているが、利用者の希望やスケジュール調整を行うことで別の披露宴会場８２〜８４を利用することも可能であり、挙式主催者側となる新郎新婦の希望を反映して理想通りの結婚式並びに披露宴を執り行うようにする。
【００５８】
また、図２に示すようなタイムテーブルは、結婚式場側でコンピュータ管理することにより、現在どの会場で何が行われているかを瞬時に把握することができるようにしておくとよい。仮に、トラブル等で予定がずれ込んだりした場合の時間調整なども行うことができる。このコンピュータ管理は、式場予約などにも利用可能である。
【００５９】
また、結婚式場の職員、特に顧客案内を担当する職員は、インカム（無線機）を使用しており、互いに連絡し合い、また、各種トラブルや時間調整などの情報を瞬時に共有することで素早い対応を取ることができる。
【００６０】
また、従来のスタイルでは、相談、申込、打合せ、挙式当日のおもてなしまで、各セクションでそれぞれ担当者が異なり、一顧客に複数の担当者が応対するといったものであったが、本発明では結婚式場を利用する顧客との打ち合わせを一人のプランナーが担当し、顧客のニーズを充足するようなプランを一貫性を持って設計することができるので、顧客の満足度を向上することができる。
【００６１】
なお、上述した実施形態は本発明の好適な実施形態を示すものであり、例えば、ファミリーガゼポ５０、写真室６０、コンサバトリー７０ａ、パティオ７０ｂ、オランジェリー７０ｃを設ける構成を示しているが必ずしも設ける必要はなく、また、他の施設として子供用の遊戯広場などを同一敷地内に設けることも可能である。
【００６２】
【発明の効果】
以上の説明から明らかなように、本発明の結婚式場によれば、エントランスロビー（受付）から挙式会場、披露宴会場に至るまでの間、他の組の挙式参加者（顧客）同士が出会うことのないワンウェイ方式（一方通行）を採用することで貸し切りの雰囲気（貸し切り感）を演出することにより、顧客の満足度を向上することができる。
【図面の簡単な説明】
【図１】本発明の実施形態である結婚式場の概略構成を示す図である。
【図２】本発明の実施形態である結婚式場のタイムテーブルである。
【図３】従来の結婚式場の概略構成を示す図である。
【符号の説明】
１０　エントランスロビー
２０　受付
３１　新婦仕度室
３２　新婦側待合室
３３　新郎側待合室
３４　来賓待合室
４０　挙式会場
５０　ファミリーガゼポ
６０　写真室
７０ａ　コンサバトリー
７０ｂ　パティオ
７０ｃ　オランジェリー
８０ａ〜ｃ　披露宴会場
９１　スタッフ室
９２　厨房室
【図１】
2004060344.tif 000003
【図２】
2004060344.tif 000004
【図３】
2004060344.tif 000005